(57)【特許請求の範囲】
【請求項１】
一箇所または複数箇所の出入口を有する管理区域の各出入口における人体の移動方向を検知する通過センサと、
前記通過センサからの出力信号に基づき、前記人体が入室および／または退室したことを視覚および／または聴覚を通じて他人に感知さす出力手段と、
前記出力信号に基づき、前記管理区域の在室状況を検知して、その在室状況にしたがって前記出力手段を作動させる判定回路とを備え、
前記通過センサは、入室方向及び退室方向を共に検知できるものであり、
前記判定回路は、前記管理区域において、管理開始における初期状態から新たに人が入室した、および／または、前記初期状態で在室していた人が退室したと判断したとき、前記出力手段を作動させ、前記管理区域において、前記初期状態から新たに入室した人数と退室した人数とが等しくなったと判断したとき、前記出力手段の作動を停止させる、在室状況管理装置。
【請求項２】
前記判定回路は、前記初期状態で所定の初期値に設定される在室人数値に、前記管理区域への入室に対応する前記出力信号が前記通過センサから出力された時には＋１を、前記管理区域からの退室に対応する前記出力信号が前記通過センサから出力された時には−１を加算して、前記在室人数値が前記所定の初期値より大きくなると、初期状態から新たに人が入室したと判断し、前記所定の初期値より小さくなると、前記初期状態で在室していた人が退室したと判断する、請求項１に記載の在室状況管理装置。
【請求項３】
前記判定回路は、前記在室人数値を、前記管理区域内に在室する人の人数として検知し、その人数を前記出力手段および／または別の表示手段に表示させる、請求項２に記載の在室状況管理装置。
【請求項４】
前記所定の初期値は、０であり、前記在室人数値は、前記管理区域の管理開始後に、０より小さくなった場合は、０に再設定される、請求項３に記載の在室状況管理装置。
【請求項５】
一つまたは複数の前記管理区域毎に設置された請求項１〜４のいずれかに記載の在室状況管理装置と、前記在室状況管理装置を統括して制御する中央制御装置と、前記各在室状況管理装置と前記中央制御装置との間の通信を行う通信手段とを備え、前記中央制御装置は、前記各在室状況管理装置の前記判定回路から前記通信手段を介して送信されてくる前記各管理区域内の前記在室状況にしたがって、または、前記出力手段から前記通信手段を介して送信されてくる出力信号にしたがって、前記在室状況または前記出力手段の作動状態の表示および／または警告を行う、在室状況管理システム。
【請求項６】
前記中央制御装置は、前記各出力手段の作動を遠隔で解除する遠隔解除手段を有する、請求項５に記載の在室状況管理システム。
【請求項７】
前記中央制御装置は、前記初期状態から新たな人が入室したと判断された前記管理区域、および／または、前記初期状態で在室していた人が退室したと判断された前記管理区域に対してのみ、前記在室状況の表示および／または警告を行う、請求項５または６に記載の在室状況管理システム。
【請求項８】
前記中央制御装置および前記通信手段は、既存のナースコールシステムまたは他の集中管理システムのものを兼用する、請求項５〜７のいずれかに記載の在室状況管理システム。
【請求項９】
前記中央制御装置および前記通信手段を、既存のナースコールシステムのものと兼用する場合、前記出力手段は、前記管理区域毎に備えられた個別廊下灯である、請求項８に記載の在室状況管理システム。
【発明の詳細な説明】
【０００１】
【発明の属する技術分野】
本発明は、熱型赤外線センサ等の人体検知用センサを用いて、例えば、病院等の建物内のトイレや病室における、在室状況を管理する在室状況管理装置および在室状況管理システムに関するものである。
【０００２】
【従来の技術】
従来、病院のトイレや病室など特定領域内の人体の存在を検知するためには、焦電型センサやサーモパイル等の赤外線センサや光電スイッチ、超音波センサ等が用いられている。特に、特開平１−３９５８１のように、検知範囲と検知感度の異なる焦電型センサとサーモパイルとを組み合わせて、人体を検知するものがある。しかしながら、上述の人体検知方法は、トイレ等の内部に入った人体を検知して、照明器具を点灯制御するためのものであり、焦電型センサとしては検知領域の広いセンサが必要であり、またサーモパイルとしては室温の補償をしていないため、それだけでは在室人数の検知をするのは困難であった。
【０００３】
また、特開平６−２４２２５５のように、検知範囲と検知感度の異なる焦電型センサと測距センサとを組み合わせて人体を検知するものがある。さらに、焦電型センサの多素子エレメントを移動方向に平行に並べて通過人体を検知して、通過人数や移動方向を検知しようという通過カウンタがある。これらを部屋の出入口の天井等に設置することによって、部屋内の在室者数を検知することができる。
【０００４】
【発明が解決しようとする課題】
病院等のトイレでは、患者が入って長時間が経過した場合、患者の安全性が危惧されるところであり、患者が長時間入っていないかどうかということを確認するためには、従来見回り者や看護婦等がチェックしており、人手と多大な時間を必要としている。さらに、病室では、夜間病人が徘徊した場合、患者の安全性が危惧されるところであり、患者が病室を出たかどうかということを確認するためには、これも見回りや看護婦等のチェックを必要としている。
【０００５】
このように、病院の入院患者が病室やトイレを出たり、戻ってきたことを検知し、これを介護人や看護婦等に知らせ、かつナースステーションで一括管理できるシステムが望まれている。
【０００６】
しかしながら、上述の通過カウンタは入退室者を検知するのみであり、入院患者の病室やトイレへの出入りを検知し、これを介護人や看護婦等に知らせることはなく、ましてや、この情報をナースステーションで一括管理することは出来なかった。
【０００７】
本発明は、上述した課題を考慮して、管理区域における在室状況を管理者または第三者に知らせることができる、信頼性の高い、低コストの在室状況管理装置および在室状況管理システムを提供することを目的とするものである。
【００１５】
【課題を解決するための手段】
上述した課題を解決するために、第１の本発明は、
一箇所または複数箇所の出入口を有する管理区域の各出入口における人体の移動方向を検知する通過センサと、
前記通過センサからの出力信号に基づき、前記人体が入室および／または退室したことを視覚および／または聴覚を通じて他人に感知さす出力手段と、
前記出力信号に基づき、前記管理区域の在室状況を検知して、その在室状況にしたがって前記出力手段を作動させる判定回路とを備え、
前記通過センサは、入室方向及び退室方向を共に検知できるものであり、
前記判定回路は、前記管理区域において、管理開始における初期状態から新たに人が入室した、および／または、前記初期状態で在室していた人が退室したと判断したとき、前記出力手段を作動させ、前記管理区域において、前記初期状態から新たに入室した人数と退室した人数とが等しくなったと判断したとき、前記出力手段の作動を停止させる、在室状況管理装置である。
【００１６】
又、第２の本発明は、
前記判定回路は、前記初期状態で所定の初期値に設定される在室人数値に、前記管理区域への入室に対応する前記出力信号が前記通過センサから出力された時には＋１を、前記管理区域からの退室に対応する前記出力信号が前記通過センサから出力された時には−１を加算して、前記在室人数値が前記所定の初期値より大きくなると、初期状態から新たに人が入室したと判断し、前記所定の初期値より小さくなると、前記初期状態で在室していた人が退室したと判断する、第１の本発明の在室状況管理装置である。
【００１７】
又、第３の本発明は、
前記判定回路は、前記在室人数値を、前記管理区域内に在室する人の人数として検知し、その人数を前記出力手段および／または別の表示手段に表示させる、第２の本発明の在室状況管理装置である。
【００１８】
又、第４の本発明は、
前記所定の初期値は、０であり、前記在室人数値は、前記管理区域の管理開始後に、０より小さくなった場合は、０に再設定される、第３の本発明の在室状況管理装置である。
【００１９】
又、第５の本発明は、
一つまたは複数の前記管理区域毎に設置された第１〜４のいずれかの本発明の在室状況管理装置と、前記在室状況管理装置を統括して制御する中央制御装置と、前記各在室状況管理装置と前記中央制御装置との間の通信を行う通信手段とを備え、前記中央制御装置は、前記各在室状況管理装置の前記判定回路から前記通信手段を介して送信されてくる前記各管理区域内の前記在室状況にしたがって、または、前記出力手段から前記通信手段を介して送信されてくる出力信号にしたがって、前記在室状況または前記出力手段の作動状態の表示および／または警告を行う、在室状況管理システムである。
【００２０】
又、第６の本発明は、
前記中央制御装置は、前記各出力手段の作動を遠隔で解除する遠隔解除手段を有する、第５の本発明の在室状況管理システムである。
【００２１】
又、第７の本発明は、
前記中央制御装置は、前記初期状態から新たな人が入室したと判断された前記管理区域、および／または、前記初期状態で在室していた人が退室したと判断された前記管理区域に対してのみ、前記在室状況の表示および／または警告を行う、第５または６の本発明の在室状況管理システムである。
【００２２】
又、第８の本発明は、
前記中央制御装置および前記通信手段は、既存のナースコールシステムまたは他の集中管理システムのものを兼用する、第５〜７のいずれかの本発明の在室状況管理システムである。
【００２３】
又、第９の本発明は、
前記中央制御装置および前記通信手段を、既存のナースコールシステムのものと兼用する場合、前記出力手段は、前記管理区域毎に備えられた個別廊下灯である、第８の本発明の在室状況管理システムである。
【００２４】
【発明の実施の形態】
本発明は、特に病院等のトイレや病室における在室人数の管理に使用することを目的とする。具体的には、トイレや病室の複数の出入口の天井に複数個の熱型赤外線センサ等の人体検知用センサと、前記センサからの検知出力信号により人体の存在の有無を判断する判定回路とを設置し、前記センサによって部屋から人体が出ていったと判断した時に廊下側に設置している警報ランプ等を点灯させ、部屋に人体が入って出入りの人数が一致した時に、警報ランプを消灯させる方法をとる。このとき、警報ランプは各トイレ入り口の廊下側で、リセット可能なことが望ましく、また、中央制御装置の警告は警報ランプと連動していることが望ましい。さらに、中央制御装置が電源投入されたら、自動的にセンサを用いて測定、検知、判定を行うことが望ましい。
【００２５】
また、前記複数個の点灯装置からの信号を建物内の通信手段に接続し、前記通信手段、点灯装置、判定回路およびセンサを制御する中央制御装置において、人体が出ていった部屋のみを、表示・警告させ、介護人等に知らせる方法である。
【００２６】
すなわち、病院のトイレ等の出入口の天井や側面部に複数の検知用センサを設置し、人体の在不在を検知することによって、警報ランプを点灯させ、介護人等に知らせたり、また、センサからの出力信号から判定回路を用いて人体の在・不在を判断し、これら判定回路から出力される在・不在情報を病院内に敷設されているイーサネット等を介して集中管理し、建物内の通信手段によって中央制御装置のモニター画面上に使用トイレや不在部屋を表示させ、警告を発することによって、他の人にトイレ内や部屋内での異常を容易に知らせることができる、信頼性の高い低コストの在室人体検知システムおよびそれを用いた方法を得ることができる。
【００２７】
これにより、病院のトイレや部屋等での使用者の在・不在情報を容易に得ることができ、さらに、在・不在情報から警報ランプ等によって他者に知らせるので、長時間使用している場合の安全性も十分に得ることができる。
【００２８】
また、赤外線センサを天井部や側面部に設置し、検知領域を頭部付近にすることによって、人体の傾きや動きにかかわらず、正確に存在検知を行うことができる。また、このセンサ信号を各部屋に設けた判定回路によって、一括処理することができる。
【００２９】
さらに、建物内のネットワークに信号を導入し、中央制御装置を用いて部屋やトイレ等の使用状況を集中管理することができるので、コスト的にも安く、システムを得ることができる。特に、トイレや部屋内での人体の判定を判定回路で行い、使用しているトイレのみの信号を中央制御装置に送信するので、リアルタイムの管理を行うことができる。
【００３０】
前記集中管理を行う場合、本発明の中央制御装置および通信手段等を、ナースコールシステム等の既存の集中管理システムのものと兼用することによって、コスト的にも安い在室状況管理システムを提供することができる。
【００３１】
また本発明は、複数のセンサからの情報を１台の判定回路で処理し、必要な情報のみをイーサネットを介して中央制御装置に送信するので、リアルタイムに管理することができ、コストも低くすることができる。このように、本発明のシステムおよび方法は、システム的にも非常に簡便であり、正確な在室人数管理を低コストで行うことができる。
【００３２】
以下に、本発明の実施の形態を図面を参照して説明する。
【００３３】
（第１の実施の形態）
まず、本発明の第１の実施の形態を図面を参照して説明する。
【００３４】
図１は、本発明の第１の実施の形態における在室状況管理装置を示す模式平面図である。本実施の形態における在室状況管理装置は、病院や介護施設等のトイレを、本発明の管理区域とするものである。
【００３５】
図１に示すように、本発明の管理区域に対応するトイレ１３の出入口１５の天井に複数個のセンサ１１を設置し、人体がこの出入口１５を通過したかどうかを検知できるようにする。このセンサ１１によってトイレ１３に人が入室したと判断された時に、廊下１４側に設置している警報ランプ１２を点灯させ、他の人に知らせることができる。すなわち、警報ランプ上でこれら人が入室したトイレに対して、警告を発して他の人に知らせることができる。発せられた警報は、警報解除手段１６により、警報ランプ１２の機側にて、解除することができる。センサ１１としては、例えば、焦電型１次元アレイ素子をアレイの配列方向が通過方向と平行に設置することにより、センサの下を通る人体の方向と人数が分かるようにした焦電型赤外線センサを用いる。また、警報ランプ１２は、本発明の出力手段に対応するものであり、警報ランプ１２の替わりに警報アラームとしてもよい、要するに、視覚および／または聴覚を通じて他人に警告を発して感知さすものであればよい。
【００３６】
なお、上記においては、人がトイレ１３に入室した時のみに警報ランプ１２を点灯させるとしたが、退室したときのみ、あるいは入退室いずれの時にも点灯させるとしてもよい。
【００３７】
このようにすることによって、管理区域内に人が入室および／または退室したことの検知が可能であり、正確で信頼性の高い人体検知を行うことができる。さらに、本実施の形態における在室状況管理装置を、一括集中処理・管理することによって、コスト的にも安い在室状況管理システムを提供することができる。
【００３８】
以上のように、本実施の形態によれば、センサを、管理区域であるトイレの出入口の天井部に設置し、使用者の頭部付近の赤外線を検知し、この出力より人が管理区域内に入室および／または退室したことを検知し、さらに、人が管理区域内に入室および／または退室したことを視覚および／または聴覚を通じて他人に感知さすことによって、管理区域内での安全を確保することができ、高精度で、高信頼性な在室状況管理装置を提供することができる。
【００３９】
なお、本実施の形態においては、センサとして、熱型赤外線センサ（焦電型赤外線センサ）を用いるとして説明したが、これに限定されるものではなく、例えば、赤外線ビームを用いたもの、超音波センサを用いたもの等であってもよい。また、通過センサは、管理区域の出入口の天井部に設置するとして説明したが、これに限るものではなく、出入口における人体の移動方向を検知できるものであればよい。
【００４０】
また、本実施の形態においては、病院や介護施設等のトイレを管理区域としたものを例として説明したが、これに限るものではなく、一箇所または複数箇所の出入口を有する領域を管理区域としておればよい。
【００４１】
（第２の実施の形態）
次に、本発明の第２の実施の形態を図面を参照して説明する。
【００４２】
図２は、本発明の第２の実施の形態における在室状況管理装置を示す模式平面図である。本実施の形態における在室状況管理装置は、本発明の判定回路を備えることに関する点以外は、上述した第１の実施の形態における在室状況管理装置と同様である。したがって、本実施の形態において、特に説明のないものについては、第１の実施の形態と同じとし、第１の実施の形態と同じ呼称の構成部材については、特に説明のない限り、第１の実施の形態と同様の機能を持つものとする。
【００４３】
図２に示すように、本発明の管理区域に対応するトイレ２５の複数の出入口２６の天井に複数個のセンサ２１を設置し、これらセンサ２１を判定回路２２によって連動させ、人体がこの出入口２６を通過して入室・退室したかどうかを検知できるようにする。このセンサ２１から得られる情報をもとにして、この判定回路２２によってトイレ２５に人が入室したと判断された時に、廊下２４側に設置している警報ランプ２３を点灯させ、他の人に知らせ、トイレから人が退出したと判断した時に、警報ランプ２３を消灯させることによって、他の人に知らせることができる。すなわち、警報ランプ２３でこれら人が入室して在室しているトイレに対して、警告を発して他の人に知らせ、さらに、人が退室していなくなったら警報を止めることによって他の人に知らしめることができる。また、当該入室者が退出していない場合においても、駆けつけた介護者等によって、発せられた警報は、警報解除手段２７により、警報ランプ２３の機側にて、解除することができる。
【００４４】
なお、上記においては、人がトイレ２３に入室した時に警報ランプ２２を点灯させ、退室したときに点灯を停止するとしたが、これに限らず、例えば、退室したときに点灯させ、次に入室した時に点灯を停止するとしてもよい。
【００４５】
人体が出入口を通過して入室・退室したかどうかを判定する方法としては、例えば、以下に示す方法が考えられる。センサ２１を赤外線センサ（焦電型センサ）とし、赤外線センサを連動させ、スレッシュホールド値を設定した２値化法、床からの出力を平均化するバックグラウンド平均化法によって人体の存在を判定し、人体がこの出入口を通過したかどうかを検知できるようにする。
【００４６】
人が管理区域（トイレ）２３内に在室しているか否かを判定する方法としては、管理開始における初期状態で所定の初期値に設定され在室人数値を設定し、センサ２１からの出力信号によって、管理区域（トイレ）２３に人が入室したときに、在室人数値に＋１を加算し、退室したときに−１を加算することにより、在室人数値が前記所定の初期値より大きい場合に、入室した人が退室していないと判定するものである。
【００４７】
上記判定方法において、本装置が管理時間帯を特定して使用する場合、管理開始信号がＯＮされた時点に、既に管理区域（トイレ）２３内に人が在室している場合が想定されるが、当該在室者が退室してしまった時に、前記在室人数値は、前記所定の初期値より小さくなってしまうので、このとき、在室人数値を前記所定の初期値に再設定する機能を持たすことも可能である。
【００４８】
本実施の形態においては、複数の人が連続して管理区域（トイレ）２３に入室した場合、判定回路２２は、それぞれの人の利用時間が短くても最初の人が継続して管理区域内に在室しているとみなして、一定時間経過後は警報信号を発することにより、より安全に管理できるようにしている。
【００４９】
このようにすることによって、管理区域内での人の在・不在検知が可能であり、正確で信頼性の高い人体検知を行うことができる。さらに、本実施の形態における在室状況管理装置を、一括集中処理・管理することによって、コスト的にも安い在室状況管理システムを提供することができる。
【００５０】
以上のように、本実施の形態によれば、センサを、管理区域の出入口の天井部に設置し、使用者の頭部付近の赤外線を検知し、この出力より判定回路を用いて人が管理区域内に在室しているか否かを検知し、さらに、人が管理区域内に在室しているか否かを視覚および／または聴覚を通じて他人にに感知さすことによって、管理区域内での安全を確保することができ、高精度で、高信頼性な在室状況管理装置を提供することができる。
【００５１】
（第３の実施の形態）
次に、本発明の第３の実施の形態を図面を参照して説明する。
【００５２】
図３は、本発明の第３の実施の形態における在室状況管理システムを示す概略構成図である。本実施の形態における在室状況管理システムは、図３に示すように、複数の管理区域毎に設置された本発明の在室状況管理装置３９と、在室状況管理装置３９を統括して制御するパソコン３５と、在室状況管理装置３９それぞれとパソコン３５との間の通信を行う通信用ＬＡＮ３４とを備えている。なお、在室状況管理装置３９は、本発明の在室状況管理装置であればよいが、ここでは、上述した第２の実施の形態における在室状況管理装置であるとして以下の説明を行う。すなわち、本実施の形態における在室状況管理システムは、病院や介護施設等のトイレ等を管理区域とするものである。
【００５３】
本在室状況管理システムにおいて、各在室状況管理装置３９の判定回路３２が、管理区域（トイレ）への人の入室を検知して警報ランプ３３を点灯させると、警報ランプ３３からの出力信号が逐次連続して順次に交換機に送信され、警報ランプ３３の点灯している使用トイレを示す信号を、建物内の通信ケーブルＬＡＮ３４を介してパソコン３５に出力させる。この通信用ＬＡＮ３４はイーサネットからなっており、複数個のＰＦＩ、交換機、警報ランプ３３に接続されており、警報ランプ３３からの使用中のトイレを示す出力信号のみがこの通信用ＬＡＮ３４をを介して中央制御装置であるパソコン３５上に表示される。パソコン３５上ではこれら人が在室しているトイレに対して、警告を発して他の人に知らせることができる。
【００５４】
このようにすることによって、複数の管理区域内での人の在・不在検知に関する管理が可能であり、さらに、一括集中処理・管理を行うことができるので、コスト的にも安い在室状況管理システムを提供することができる。
【００５５】
以上のように、本実施の形態によれば、本発明の在室状況管理装置を用いて、管理区域に人が在室しているか否かを、建物内通信回線を用いて中央制御装置に送信し、他の人に在室状況を知らせることによって、管理区域内での安全を確保することができ、高精度で、高信頼性なトイレの在室状況管理システムを構築することができる。
【００５６】
なお、本実施の形態における在室状況管理システムは、複数の管理区域を有し、前記管理区域毎に本発明の在室状況管理装置を備えているとして説明したが、これに限るものではなく、例えば、一つの管理区域を管理する本発明の在室状況管理装置を１台のみと、本発明の中央制御装置と、本発明の通信手段とを備えるものであってもよい。
【００５７】
（第４の実施の形態）
次に、本発明の第４の実施の形態を図面を参照して説明する。
【００５８】
図４は、本発明の第４の実施の形態における在室状況管理装置を示す模式平面図である。本実施の形態における在室状況管理装置は、病院や介護施設等の病室等の居室を、本発明の管理区域とし、管理区域から人が退室した場合に本発明の出力手段が作動することに関する点以外は、上述した第１の実施の形態における在室状況管理装置と同様である。したがって、本実施の形態において、特に説明のないものについては、第１の実施の形態と同じとし、第１の実施の形態と同じ呼称の構成部材については、特に説明のない限り、第１の実施の形態と同様の機能を持つものとする。
【００５９】
図４に示すように、本発明の管理区域に対応する病室等の部屋４４の出入口４５の天井に複数個のセンサ４１を設置し、人体がこの出入口４５を通過したかどうかを検知できるようにする。このセンサ４１によって部屋４４から人体が出ていったと判断された時に、廊下４３側に設置している警報ランプ４２を点灯させ、他の人に知らせることができる。すなわち、警報ランプ上でこれら人が退室していった部屋に対して、警告を発して他の人に知らせることができる。発せられた警報は、警報解除手段４６により、警報ランプ４２の機側にて、解除することができる。
【００６０】
このようにすることによって、部屋内での不在人体の検知が可能であり、正確で信頼性の高い人体検知を行うことができる。さらに、本実施の形態における在室状況管理装置を、一括集中処理・管理することによって、コスト的にも安い在室状況管理システムを提供することができる。
【００６１】
以上のように、本実施の形態によれば、センサを、管理区域である病室等の部屋の出入口の天井部に設置し、使用者の頭部付近の赤外線を検知し、この出力より人が管理区域内に退室（および／または入室）したことを検知し、さらに、人が管理区域内に退室（および／または入室）したことを視覚および／または聴覚を通じて他人に感知さすことによって、管理区域内での安全を確保することができ、高精度で、高信頼性な在室状況管理装置を提供することができる。
【００６２】
（第５の実施の形態）
次に、本発明の第５の実施の形態を図面を参照して説明する。
【００６３】
図５は、本発明の第５の実施の形態における在室状況管理装置を示す模式平面図である。本実施の形態における在室状況管理装置は、病院や介護施設等の病室等の居室を、本発明の管理区域とすることに関する点以外は、上述した第２の実施の形態における在室状況管理装置と同様である。したがって、本実施の形態において、特に説明のないものについては、第２の実施の形態と同じとし、第２の実施の形態と同じ呼称の構成部材については、特に説明のない限り、第２の実施の形態と同様の機能を持つものとする。
【００６４】
図５に示すように、本発明の管理区域に対応する病室等の部屋５４の複数の出入口５６の天井に複数個のセンサ５１を設置し、これらセンサ５１を判定回路５２によって連動させ、人体がこの出入口５６を通過して入室・退室したかどうかを検知できるようにする。このセンサ５１から得られる情報をもとにして、この判定回路５２によって部屋５４から人が退室したと判断された時に、廊下５５側に設置している警報ランプ５３を点灯させ、他の人に知らせ、部屋に人が戻ってきたと判断した時に、警報ランプ５３を消灯させることによって、他の人に知らせることができる。すなわち、警報ランプ５３でこれら人が退室して在室人員が減少した部屋に対して、警告を発して他の人に知らせ、さらに、人が戻ってきて在室人員が元に戻ったら警報を止めることによって他の人に知らしめることができる。また、当該退室者が戻っていない場合においても、駆けつけた介護者等によって、発せられた警報は、警報解除手段５７により、警報ランプ５３の機側にて、解除することができる。
【００６５】
このようにすることによって、管理区域内での人の在・不在検知が可能であり、正確で信頼性の高い人体検知を行うことができる。さらに、本実施の形態における在室状況管理装置を、一括集中処理・管理することによって、コスト的にも安い在室状況管理システムを提供することができる。
【００６６】
以上のように、本実施の形態によれば、センサを、管理区域の出入口の天井部に設置し、通行人の頭部付近の赤外線を検知し、この出力より判定回路を用いて人が管理区域内に在室しているか否かを検知し、さらに、人が管理区域内に在室しているか否かを視覚および／または聴覚を通じて他人にに感知さすことによって、管理区域内での安全を確保することができ、高精度で、高信頼性な在室状況管理装置を提供することができる。
【００６７】
（第６の実施の形態）
次に、本発明の第６の実施の形態を図面を参照して説明する。
【００６８】
図６は、本発明の第６の実施の形態における在室状況管理システムを示す概略構成図である。本実施の形態における在室状況管理システムは、図６に示すように、複数の管理区域毎に設置された本発明の在室状況管理装置６９と、在室状況管理装置６９を統括して制御する中央制御装置６５と、中央制御装置６５に付随して各管理区域の在室状況を表示する表示装置と、在室状況管理装置６９それぞれと中央制御装置６５との間の通信を行う通信用ＬＡＮ６４とを備えている。なお、在室状況管理装置６９は、本発明の在室状況管理装置であればよいが、ここでは、上述した第２または第５の実施の形態における在室状況管理装置であるとして以下の説明を行う。すなわち、本実施の形態における在室状況管理システムは、病院や介護施設等のトイレ、病室等の居室等を管理区域とするものである。
【００６９】
本在室状況管理システムにおいて、各在室状況管理装置６９の判定回路６２が、管理区域への人の入退室を検知して警報ランプ６３を点灯させると、この判定回路６２からの出力信号を逐次連続して順次に交換機に送信し、警報ランプ６３の点灯している部屋を示す信号を、建物内の通信ケーブルＬＡＮ６４を介して中央制御装置６５、表示装置／アラーム６６に出力させる。この通信ケーブルＬＡＮ６４はイーサネットからなっており、複数個のＰＦＩ、交換機、判定回路６２に接続されており、在室状況が初期状態から変化した（在室していた人が退室した、新たな人が区域外から入ってきた）管理区域を示す信号が、ＬＡＮ６４を介して送信され、中央制御装置６５、表示装置／アラーム６６上に表示される。中央制御装置６５および／または表示装置／アラーム６６上ではこれら人体の存在していない部屋に対して、警告を発して他の人に知らせることができる。発せられた警告は、中央制御装置６５および／または表示装置／アラーム６６が有している解除手段によって、解除することができる。また、この解除手段は、各警報ランプ６３が発している警報を遠隔で解除することもできる。
【００７０】
このようにすることによって、複数の管理区域内での人の在・不在検知に関する管理が可能であり、さらに、一括集中処理・管理を行うことができるので、コスト的にも安い在室状況管理システムを提供することができる。
【００７１】
以上のように、本実施の形態によれば、本発明の在室状況管理装置を用いて、管理区域の在室状況を、建物内通信回線を用いて中央制御装置に送信し、他の人に在室状況を知らせることによって、管理区域内での安全を確保することができ、高精度で、高信頼性なトイレの在室状況管理システムを構築することができる。
【００７２】
なお、本実施の形態においては、判定回路は、在室状況として、在室状況が初期状態から変化した（在室していた人が退室した、新たな人が区域外から入ってきた）か否かのみを、中央制御装置へ送信するとして説明したが、これに限らず、例えば、在室状況として、管理区域内に在室している人数を検知して送信し、これを中央制御装置および／または表示装置が表示するとしてもよい。この時の判定回路における在室人数の検知方法について以下に説明する。
【００７３】
第２の実施の形態において説明した在室人数値の初期値を、初期状態における管理区域内に在室している人数とし、第２の実施の形態において説明したのと同様に、管理区域に人（一人）が入室したときに、在室人数値に＋１を加算し、人（一人）が退室したときに−１を加算する。これによって得られた在室人数値を、当該時刻において管理区域内に在室している人数として検知するものである。例えば、病室を管理区域とし、管理時間を消灯時間のみとしたときに、消灯時の在室人員を在室人数値の初期値として入力する、もしくは、当該病室内の入院患者数を在室人数値の初期値のデフォルト値とすることによって、管理時間における当該区域内の在室人数を的確に把握することができるものである。
【００７４】
なお、本実施の形態における在室状況管理システムも、第３の実施の形態における在室状況管理システムと同様に、複数の管理区域を有し、前記管理区域毎に本発明の在室状況管理装置を備えているとして説明したが、これに限るものではなく、例えば、一つの管理区域を管理する本発明の在室状況管理装置を１台のみと、本発明の中央制御装置と、本発明の通信手段とを備えるものであってもよい。
【００７５】
（第７の実施の形態）
次に、本発明の第７の実施の形態を図面を参照して説明する。
【００７６】
図７は、本発明の第７の実施の形態における在室状況管理システムを示す概略構成図である。本実施の形態における在室状況管理システムは、本発明の中央制御装置、通信手段および出力手段を、既存のナースコールシステムのものと兼用することに関する点以外は、上述した第３の実施の形態における在室状況管理装置と同様である。したがって、本実施の形態において、特に説明のないものについては、第３の実施の形態と同じとし、第３の実施の形態と同じ呼称の構成部材については、特に説明のない限り、第３の実施の形態と同様の機能を持つものとする。
【００７７】
本実施の形態における在室状況管理システムは、図７に示すように、複数の管理区域（ここでは、病院のトイレまたは病室とする。）毎に設置された本発明の在室状況管理装置７９の判定回路７２を、当該管理区域毎に設置されたナースコールシステム７６の個別廊下灯７３およびナースコールシステム用通信手段７４を介して、ナースコールシステム用中央制御装置７５に接続したものである。ここで、個別廊下灯７３は、在室状況管理装置７９の出力手段および解除手段を兼用するものである。なお、在室状況管理装置７９は、本発明の在室状況管理装置であればよいが、ここでは、上述した第２または第５の実施の形態における在室状況管理装置から、本発明の出力手段であるところの警報ランプを除いたものであるとして以下の説明を行う。
【００７８】
本在室状況管理システムにおいて、各在室状況管理装置７９の判定回路７２が、管理区域への人の入退室を検知して個別廊下灯７３を点灯させると、個別廊下灯７３からの出力信号が逐次連続して順次に交換機に送信され、個別廊下灯７３の点灯している管理区域を示す信号を、ナースコールシステム用通信手段７４を介してナースコールシステム用中央制御装置７５に出力させる。個別廊下灯７３からの個別廊下灯７３の点灯している管理区域を示す出力信号のみがこのナースコールシステム用通信手段７４を介してナースコールシステム用中央制御装置７５上に表示される。ナースコールシステム用中央制御装置７５上ではこれら個別廊下灯７３の点灯している管理区域に対して、ランプおよび／またはアラーム等により、警告を発して他の人に知らせることができる。なお、この個別廊下灯７３は、発した警報を機側にて解除することができる。
【００７９】
このようにすることによって、複数の管理区域内での人の在・不在検知に関する管理が可能であり、さらに、一括集中処理・管理を行うことができるので、コスト的にも安い在室状況管理システムを提供することができる。
【００８０】
以上のように、本実施の形態によれば、本発明の在室状況管理装置を用いて、管理区域に人が在室しているか否かを、建物内通信回線を用いて中央制御装置に送信し、他の人に在室状況を知らせることによって、管理区域内での安全を確保することができ、高精度で、高信頼性なトイレの在室状況管理システムを構築することができる。
【００８１】
なお、本実施の形態における在室状況管理システムは、本発明の中央制御装置、通信手段および出力手段を、既存のナースコールシステムのものと兼用するとして説明したが、これに限るものではなく、別の集中管理システムのものと兼用するであってもよい。
【００８２】
また、本実施の形態における在室状況管理装置は、第２または第５の実施の形態における在室状況管理装置から、本発明の出力手段であるところの警報ランプを除いたものであるとして説明したが、これに限らず、本発明の出力手段を備えており、本実施の形態における個別廊下灯とは別に警報を発するとしてもよい。要するに、請求項１〜９のいずれかに記載した、本発明の在室状況管理装置であればよい。
なお、上述した第１〜第７の実施の形態における在室状況管理装置は、本発明の解除手段を備えているとして説明したが、これに限るものではなく、中央制御装置等の別の装置が、遠隔解除ができる手段有している場合は、在室状況管理装置が解除手段を備えていなくてもよい。
【００８３】
【発明の効果】
以上の説明から明らかなように、本発明は、管理区域における在室状況を管理者または第三者に知らせることができる、信頼性の高い、低コストの在室状況管理装置および在室状況管理システムを提供することができる。。
【００８４】
すなわち、本発明の在室状況管理システムを用いると特定領域への被検知者の入退出の結果を被検知者以外の他の人に知らせることができ、更に複数の特定領域への被検知者の入退出の検知結果を集中管理室に送信することにより、複数の特定領域の在室人数を一括管理することが出来る。
【００８５】
また、本発明のシステムを病院のトイレや病室での在室人数の管理に使用すると、トイレ使用者の在・不在情報を容易に得ることができ、さらに、使用者の在・不在情報を警報ランプ等で他者に知らせるので、長時間使用した場合の入院患者の安全性も十分に得ることができるという顕著な効果を得ることが可能である。
【００８６】
さらに、この結果を集中管理室でリアルタイムに管理することができ、トイレや病室の在室人数の管理を効率よく、低コストでしかも高精度に行うことが出来、病院のインテリジェント化に大きく寄与することができる。
【図面の簡単な説明】
【図１】本発明の第１の実施の形態における在室状況管理装置を示す模式平面図である。
【図２】本発明の第２の実施の形態における在室状況管理装置を示す模式平面図である。
【図３】本発明の第３の実施の形態における在室状況管理システムを示す概略構成図である。
【図４】本発明の第４の実施の形態における在室状況管理装置を示す模式平面図である。
【図５】本発明の第５の実施の形態における在室状況管理装置を示す模式平面図である。
【図６】本発明の第６の実施の形態における在室状況管理システムを示す概略構成図である。
【図７】本発明の第７の実施の形態における在室状況管理システムを示す概略構成図である。
【符号の説明】
１１、２１、３１、４１、５１、６１、７１  センサ
１２、２２、３２、４２、５２、６２  警報ランプ
１３  トイレ
１４、２４、４３、５５  廊下
１５、２６、４５、５６  出入口
１６、２７、３７、４６、５７、６７  警報解除手段
２２、３２、５２、６２、７２  判定回路
３４、６４  通信ケーブルＬＡＮ
３５  パソコン
３９、６９、７９  在室状況管理装置
４４  部屋
６５  中央制御装置
６６  表示装置／アラーム
７３  個別廊下灯
７４  ナースコールシステム用通信手段
７５  ナースコールシステム用中央制御装置
７６  ナースコールシステム
【図１】
0003577212.tif 000002
【図２】
0003577212.tif 000003
【図３】
0003577212.tif 000004
【図４】
0003577212.tif 000005
【図５】
0003577212.tif 000006
【図６】
0003577212.tif 000007
【図７】
0003577212.tif 000008